(57)【要約】  【課題】  コマーシャル情報を移動体電話機に配信するに当たり、広告効果の増大、ユーザがコマーシャル情報を利用する際の利便性を向上する。  【解決手段】  コマーシャル情報に係る簡易情報を携帯電話５にＰＵＳＨ配信し、コマーシャル情報に係る詳細情報を携帯電話５からの要求に応じて、携帯電話５に送信する。また、携帯電話５又は公衆電話機６からの要求に従い公衆電話機６にコマーシャル情報を送信する。さらに、公衆電話機６にディスプレイ６１、プリンタ６２、記録装置６３及び携帯電話用の通信ケーブル６４を設けた。  【選択図】  図１
2005333654.tif 000002
【特許請求の範囲】
【請求項１】
表示データとしての識別符号が付属したコマーシャル情報を移動体電話機に配信し、前記識別符号を前記移動体電話機に表示させて前記識別符号を告知し、前記識別符号によって特定されるコマーシャル情報を公衆端末に送信することの要求を前記公衆端末から受け付けその要求を処理することを特徴とするコマーシャル情報配信方法。
【請求項２】
コマーシャル情報を移動体電話機に配信し、前記移動体電話機にコマーシャル情報を保持し、前記移動体電話機と公衆端末をケーブル接続し、前記移動体電話機に保持されたコマーシャル情報を前記移動体電話機から公衆端末に移送し、前記公衆端末にコマーシャル情報を出力することを特徴とするコマーシャル情報配信方法。
【請求項３】
前記出力をディスプレイへの表示、印刷又は記録媒体への保存とすることを特徴とする請求項２に記載のコマーシャル情報配信方法。
【請求項４】
コマーシャル情報に係る表示データを移動体電話機に配信する広告配信システムと、ディスプレイを備えた公衆端末とを備え、
前記広告配信システムが、前記公衆端末からの要求に従い、要求のあった公衆端末にコマーシャル情報に係る表示データを送信するように構成されてなるコマーシャル情報配信システム。
【請求項５】
コマーシャル情報毎に表示データとしての識別符号が設けられてなることを特徴とする請求項４に記載のコマーシャル情報配信システム。
【請求項６】
前記公衆端末に、プリンタが備えられることを特徴とする請求項４に記載のコマーシャル情報配信システム。
【請求項７】
前記公衆端末に、持ち運び可能な記録媒体へ情報を記録する記録装置が備えられることを特徴とする請求項４に記載のコマーシャル情報配信システム。
【請求項８】
前記公衆端末に、前記移動体電話機と接続する通信ケーブルが備えられることを特徴とする請求項４に記載のコマーシャル情報配信システム。
【請求項９】
前記公衆端末に、前記移動体電話機と接続する通信ケーブルが備えられ、コマーシャル情報を保持するメモリ部を有する移動体電話機を備えることを特徴とする請求項４に記載のコマーシャル情報配信システム。
【発明の詳細な説明】
【技術分野】
【０００１】
本発明は、コマーシャル情報配信方法及びコマーシャル情報配信システムに関するものである。
【背景技術】
【０００２】
近時、コマーシャル情報を移動体電話機に送出して電話機の広告効果を利用する一方、電話料金の一部をコマーシャル提供者に負担させることにより電話料金を低廉化ひいては加入の増加促進を図ろうとするコマーシャル情報配信システムが提案されている（特許文献１）。
【特許文献１】特開平１０−２１０１９２号公報
【発明の開示】
【発明が解決しようとする課題】
【０００３】
しかし、従来の技術においては以下のような問題があった。
すなわち、移動体電話機の表示画面は比較的小さいので、表示情報が見づらいという問題や、同時に多くの情報を表示することができないという問題がある。
また、移動体電話機では、大容量のメモリを搭載することができないため、多数のコマーシャル情報を保存することできないという問題がある。
さらに、移動体電話機から切り離して、コマーシャル情報を利用することができないという問題がある。
また、移動体電話機は有線通信機に比較して通信速度が遅い傾向にあるので、大容量のコマーシャル情報を迅速快適に表示させることができないという問題がある。
【０００４】
本発明は以上の従来技術における問題に鑑みてなされたものであって、移動体電話機にコマーシャル情報を配信するに当たり、コマーシャル情報の受け手に対し、コマーシャル情報を見やすく表示することができ、多くの情報を同時に表示することができるコマーシャル情報配信方法及びコマーシャル情報配信システムを提供することを課題とする。
また本発明は、コマーシャル情報の受け手が、多数のコマーシャル情報を保存しておくことができ、移動体電話機から切り離して、コマーシャル情報を利用することができるコマーシャル情報配信方法及びコマーシャル情報配信システムを提供することを課題とする。
さらに本発明は、大容量のコマーシャル情報を迅速快適に得ることができるコマーシャル情報配信方法及びコマーシャル情報配信システムを提供することを課題とする。
【課題を解決するための手段】
【０００５】
前記課題を解決する本出願第１の発明は、コマーシャル情報を簡易情報と詳細情報とに分け、前記簡易情報を移動体電話機にＰＵＳＨ配信し、前記移動体電話機からの要求に応じて前記詳細情報を前記移動体電話機に送信することを特徴とするコマーシャル情報配信方法である。
【０００６】
ここで、ＰＵＳＨ（プッシュ）配信とは、ＰＵＳＨテクノロジーによる配信をいう。ＷＷＷブラウザではＷＷＷサーバーに対して、データを要求し、データの配信を受けるが、ＰＵＳＨテクノロジーでは、その逆を行う。すなわち、サーバーからブラウザへデータが送り付けられる。
【０００７】
また本出願第２の発明は、本出願第１の発明のコマーシャル情報配信方法において、前記簡易情報に前記詳細情報へのリンクを設定し、前記リンクにより前記要求を行うことの要求を実行することを特徴とする。
【０００８】
また本出願第３の発明は、コマーシャル情報を移動体電話機に配信し、前記移動体電話機からの要求に従い、特定のコマーシャル情報を特定の公衆端末に送信することを特徴とするコマーシャル情報配信方法である。
【０００９】
また本出願第４の発明は、公衆端末への転送手続情報が付属したコマーシャル情報を移動体電話機に配信し、前記コマーシャル情報を特定の公衆端末に送信することの要求を前記転送手続情報により処理することを特徴とするコマーシャル情報配信方法である。
【００１０】
また本出願第５の発明は、表示データとしての識別符号が付属したコマーシャル情報を移動体電話機に配信し、前記識別符号を前記移動体電話機に表示させて前記識別符号を告知し、前記識別符号によって特定されるコマーシャル情報を公衆端末に送信することの要求を前記公衆端末から受け付けその要求を処理することを特徴とするコマーシャル情報配信方法である。
【００１１】
また本出願第６の発明は、コマーシャル情報を移動体電話機に配信し、前記移動体電話機にコマーシャル情報を保持し、前記移動体電話機と公衆端末をケーブル接続し、前記移動体電話機に保持されたコマーシャル情報を前記移動体電話機から公衆端末に移送し、前記公衆端末にコマーシャル情報を出力することを特徴とするコマーシャル情報配信方法である。
ここで出力には、ディスプレイへの表示、印刷、記録媒体への保存が該当する。
【００１２】
また本出願第７の発明は、本出願第６の発明のコマーシャル情報配信方法において、前記出力をディスプレイへの表示、印刷又は記録媒体への保存とすることを特徴とする。
【００１３】
また本出願第８の発明は、簡易情報と詳細情報とからなるコマーシャル情報のうちの簡易情報を移動体電話機にＰＵＳＨ配信する手段と、前記移動体電話機からの要求に応じて前記詳細情報を前記移動体電話機に送信する手段とを備えることを特徴とするコマーシャル情報配信システムである。
【００１４】
また本出願第９の発明は、簡易情報とそれにリンクされた詳細情報とからなるコマーシャル情報のうちの簡易情報を移動体電話機にＰＵＳＨ配信する手段と、
前記移動体電話機からの前記リンクによる要求に応じて前記詳細情報を前記移動体電話機に送信する手段とを備えることを特徴とするコマーシャル情報配信システムである。
【００１５】
また本出願第１０の発明は、コマーシャル情報に係る表示データを移動体電話機に配信する広告配信システムと、ディスプレイを備えた公衆端末とを備え、
前記広告配信システムが、前記移動体電話機からの要求に従い、特定の公衆端末にコマーシャル情報にかかる表示データを送信するように構成されてなるコマーシャル情報配信システムである。
【００１６】
また本出願第１１の発明は、本出願第１０の発明のコマーシャル情報配信システムにおいて、コマーシャル情報毎に公衆端末への転送手続情報が設けられてなることを特徴とする。
【００１７】
また本出願第１２の発明は、コマーシャル情報に係る表示データを移動体電話機に配信する広告配信システムと、ディスプレイを備えた公衆端末とを備え、前記広告配信システムが、前記公衆端末からの要求に従い、要求のあった公衆端末にコマーシャル情報に係る表示データを送信するように構成されてなるコマーシャル情報配信システムである。
【００１８】
また本出願第１３の発明は、本出願第１２の発明のコマーシャル情報配信システムにおいて、コマーシャル情報毎に表示データとしての識別符号が設けられてなることを特徴とする。
【００１９】
また本出願第１４の発明は、本出願第１０の発明又は本出願第１２の発明のコマーシャル情報配信システムにおいて、前記公衆端末に、プリンタが備えられることを特徴とする。
【００２０】
また本出願第１５の発明は、本出願第１０の発明又は本出願第１２の発明のコマーシャル情報配信システムにおいて、前記公衆端末に、持ち運び可能な記録媒体へ情報を記録する記録装置が備えられることを特徴とする。
【００２１】
また本出願第１６の発明は、本出願第１０の発明又は本出願第１２の発明のコマーシャル情報配信システムにおいて、前記公衆端末に、前記移動体電話機と接続する通信ケーブルが備えられることを特徴とする。
【００２２】
また本出願第１７の発明は、本出願第１０の発明又は本出願第１２の発明のコマーシャル情報配信システムにおいて、前記公衆端末に、前記移動体電話機と接続する通信ケーブルが備えられ、コマーシャル情報を保持するメモリ部を有する移動体電話機を備えることを特徴とする。
【発明の効果】
【００２３】
上述のように本発明は、ディスプレイ、プリンタ及び記録装置を備えた公衆端末をシステムに組み込んだことにより、コマーシャル情報を公衆端末の大画面に見やすく表示することができ、多くの情報を同時に表示することができるという効果がある。
また本発明は、公衆端末に設置されたプリンタによりコマーシャル情報を紙に印刷したり、公衆端末に設置された記録装置により持ち運び可能な記録媒体にコマーシャル情報を保存することにより、多数のコマーシャル情報を保存しておくことができ、移動体電話機から切り離して、コマーシャル情報を利用することができるという効果がある。
さらに本発明は、移動体電話機及び公衆端末のうちより通信速度が速い方を使用することにより、外出先で、大容量のコマーシャル情報を迅速快適に得ることができるという効果がある。
本発明は、特にパソコンユーザではない携帯電話ユーザにとって便宜である。
【００２４】
また本発明は、コマーシャル情報を簡易情報と詳細情報とに分け、前記簡易情報を移動体電話機にＰＵＳＨ配信し、前記詳細情報を前記移動体電話機からの要求に応じて、前記移動体電話機に送信することとしたので、ユーザはいつでもどこでも最新のコマーシャル情報を逃すことなく捕らえ、必要に応じて詳細な情報を瞬時に入手することができるという効果がある。広告配信側から言えば、簡易情報のＰＵＳＨ配信により、多くのコマーシャル情報を一定時間内に配信することができるという効果がある。
【発明を実施するための最良の形態】
【００２５】
以下に本発明の一実施の形態のコマーシャル情報配信方法及びコマーシャル情報配信システムにつき図面を参照して説明する。以下は本発明の一実施形態であって本発明を限定するものではない。
【００２６】
まず、本発明の一実施の形態のコマーシャル情報配信システムの構成につき、図１を参照して説明する。図１は本発明の一実施の形態のコマーシャル情報配信システムの構成を示すブロック図である。
【００２７】
図１に示すように、本実施の形態のコマーシャル情報配信システムは、携帯電話５と、コマーシャル情報に係る表示データを携帯電話５に配信する広告配信システム１と、公衆端末としての公衆電話機６と、インターネット４上に開設されるｗｅｂサイトａ１、ａ２、ａ３…と、を備えて構成される。
携帯電話５は、ディスプレイ５１と、操作部５２と、音声モニタ５３と、コネクタ５４と、受信したコマーシャル情報を保持するメモリ部５５とを有する。
公衆電話機６は、通常の電話機とは異なり、インターネット４を介してホームページへのアクセスを可能とするＷＷＷブラウザ等のアクセス手段を有する端末装置である。また、公衆電話機６には、ディスプレイ６１と、プリンタ６２と、持ち運び可能な記録媒体へ情報を記録する記録装置６３とが備えられる。本実施形態においては、この持ち運び可能な記録媒体として、手に収まる程度の大きさのカード形状の電子記録媒体（以下、ＩＣカードという。）を用いる。その他、記録媒体としてフロッピー（登録商標）ディスク等の磁気記録媒体や、ＣＤ−Ｒ（Ｃｏｍｐａｃｔ Ｄｉｓｃ−Ｒｅｃｏｒｄａｂｌｅ）、ＣＤ−ＲＷ（Ｃｏｍｐａｃｔ  Ｄｉｓｃ−ＲｅＷｒｉｔａｂｌｅ）等の光記録媒体を用いても良い。また、複数の異なる方式の記録媒体を同時に用いても良い。また、公衆電話機６には携帯電話５を接続するための通信ケーブル６４が備え付けられている。
【００２８】
広告配信システム１には、送受信部１１と、制御部１２と、コマーシャル情報データベース１３とが備えられる。コマーシャル情報データベース１３（以下、ＣＭＤＢという。）には各社のコマーシャル情報が格納されている。送受信部１１はコマーシャル情報の送信及び携帯電話５や公衆電話機６からの要求を受信を行う。制御部１２は新規コマーシャル情報をＣＭＤＢ１３に登録したり、配信するコマーシャル情報をＣＭＤＢ１３から取り出したりする。
携帯電話５は、インターネット４へアクセス可能なものである。
【００２９】
コマーシャル情報は簡易情報と詳細情報とに分けられる。簡易情報は次のような内容とする。企業名や商品名を含む広告の要点を示す文字情報、例えば、「○○○が軽量、多機能化されて○月○日に新発売！（○○社）」や、「○○屋○○店開店セールのお知らせ」等とする。また、商品の外観やイメージキャラクター（歌手やタレント）等の画像情報（静止画及び動画を含む）を含めたものとする。さらにタイアップ曲等の１５秒程度の音声情報や、携帯電話５の内部音源を使用して音楽を演奏させるための１６小節程度の演奏情報（ＭＩＤＩ情報等）を含めたものとする。また、以上の文字情報、画像情報、音声情報、演奏情報を組み合わせて構成される。簡易情報の具体的内容は、短時間の露出で商品の特徴が把握できるようにする場合や、インパクトを優先し顧客を引き付けるようにする場合等、広告の手法は様々であるので、広告主と制作者の意図に従い多種多様なものが製作される。しかし、一定時間に多数の簡易情報を流すという要求から詳細情報には一定の制限を課して本実施形態のコマーシャル情報配信システムは運営される。
これに対し詳細情報は次のような内容とする。商品のスペック情報（性能、機能、特徴、色、サイズ等）、価格、発売日、取扱店等の商品に関する様々な情報や、サービス内容、料金、サービスの受けられる場所等のサービスに関する様々な情報、また、広告のイメージキャラクターとなっているタレントの芸歴、活動内容、活動予定の告知等の出演者に関する様々な情報、さらに、タイアップ曲の販売情報（発売日、価格、ランキング等）、プロデューサーからのメッセージ、歌手からのメッセージ、１コーラスの音声情報等の広告に使用される曲に関する様々な情報とされる。また、関連するＷＥＢサイトへのリンクを含める。詳細情報は文字情報、画像情報、音声情報、演奏情報のうちの何れか一つ又は二つ以上の組み合わせにより構成される。画像情報により商品やタレント、店舗等の画像、案内地図等が構成される。音声情報によりタイアップ曲、タレントの肉声メッセージ等が構成される。演奏情報によりタイアップ曲の着信メロディ等が構成される。
【００３０】
次に、本発明の一実施の形態のコマーシャル情報配信方法の手順乃至コマーシャル情報配信システムの動作につき、図１、図２、図３、図４及び図５を参照して説明する。
【００３１】
前提として、ユーザはコマーシャル情報配信システムに加入する。ユーザは新規加入料無料、広告配信に掛かる通信料無料、さらには、広告配信以外の通信に係る通信料無料（又は割引）、通話料無料（又は割引）等の待遇を受ける。
一方、広告主の企業は、本コマーシャル情報配信システムに有料で広告の配信を依頼する。広告主の支払う料金（広告費）の一部はユーザの通信料、通話料に還元される。
広告配信の依頼を受けたコマーシャル情報配信システムは、広告配信システム１にその企業のコマーシャル情報を格納し管理する。具体的には、制御部１２がその企業のコマーシャル情報をＣＭＤＢ１３に登録する。
【００３２】
ここで図２を参照する。図２は本発明の一実施の形態におけるフローチャートその１である。
まず、広告配信システム１は、インターネット４を介して携帯電話５へコマーシャル情報をＰＵＳＨ配信する。具体的には、制御部１２がＣＭＤＢ１３から送信するコマーシャル情報の簡易情報を取り出し、送受信部１１に渡す。これを受け送受信部１１がインターネット４を介して携帯電話５へコマーシャル情報をＰＵＳＨ配信する（ステップＳ１）。ＰＵＳＨ（プッシュ）配信とは、ＰＵＳＨテクノロジーによる配信をいう。ＷＷＷブラウザではＷＷＷサーバーに対して、データを要求し、配信してもらうが、ＰＵＳＨテクノロジーでは、その逆を行う。すなわち、サーバーからブラウザへデータを送り付ける。ユーザーはＷＷＷ上で、テレビのように最新の情報を見ることができる。
コマーシャル情報が携帯電話５へＰＵＳＨ配信されることにより、携帯電話５のディスプレイ５１には常に最新のコマーシャル情報に係る簡易情報が映し出される。携帯電話５に対する簡易情報の流し方は例えば次のようにする。すなわち、各コマーシャル情報に掛かる簡易情報を一定時間毎順番に放映したり、複数のコマーシャル情報に係る簡易情報を同時に一覧表示したりといった態様である。また、一度に表示できない文字情報等を自動的にスクロールさせ、最後に商品外観等の画像を３秒程度表示する、これを１セットとして３セット繰り返した後、次のコマーシャル情報に係る簡易情報を流すといった態様を採っても良い。
【００３３】
ユーザは携帯電話５のプッシュボタンを含む操作部５２によって所定の操作をすることにより、電話を掛けること、電話に出ること、その他の携帯電話５の機能を使うことができる。携帯電話５はこれらの必要に応じ、コマーシャル表示から他の表示に切り替わる。また、簡易情報には詳細情報へのリンクが設定されており、ユーザは携帯電話５の操作部５２によって所定の操作をしてそのリンクを実行する。リンクを実行することにより簡便に、コマーシャル情報に係る詳細情報を呼び出すことができる。
【００３４】
ここで、ユーザがコマーシャル情報に係る詳細情報を呼び出す操作をしたとする。その操作により、リンクされた詳細情報の送信要求が広告配信システム１に送信される（ステップＳ２）。
広告配信システム１においては、送受信部１１がその送信要求を受け、制御部１２に渡す。制御部１２はその送信要求に係るコマーシャル情報の詳細情報をＣＭＤＢ１３から取り出し、送受信部１１に渡す。送受信部１１はインターネット４を介してその詳細情報を携帯電話５に送信する（ステップＳ３）。これにより携帯電話５はその詳細情報を受信し、ディスプレイ５１に詳細情報に含まれる文字情報や画像情報を表示する。受信にした詳細情報に音声情報が含まれる場合には、その音声情報を再生し音声モニタ５３から出力する。受信にした詳細情報に演奏情報が含まれる場合には、その演奏情報を実行して携帯電話５の内部音源を鳴らし、その音声を音声モニタ５３から出力する。
ユーザは、詳細情報により商品、サービス、出演タレント、タイアップ曲等に関する様々な実用性、娯楽性溢れる情報を得、楽しむことができる。詳細情報に関連ＷＥＢサイトａ１、ａ２、ａ３…へのリンクが含まれる場合には、ユーザは関連するＷＥＢサイトａ１、ａ２、ａ３…に容易にアクセスすることができる。
【００３５】
次に、ユーザが公衆電話機６を利用する場合につき説明する。
【００３６】
ユーザは最寄りの公衆電話機６へ行く（ステップＳ４）。
ユーザは携帯電話５又は公衆電話機６に所定の操作をし、コマーシャル情報と公衆電話機６を特定し、そのコマーシャル情報をその公衆電話機６に送信するように広告配信システム１に要求する（ステップＳ５）。具体的には以下のように行う。
【００３７】
広告配信システム１は、配信するコマーシャル情報毎に公衆電話機への転送手続情報を設ける。この転送手続情報は、コマーシャル情報を公衆電話機を特定して転送（広告配信システム１が、携帯電話５に送信していたコマーシャル情報を公衆電話機６へ送信すること）する手続を行うための手続情報である。図５（ａ）に示すように、携帯電話５のディスプレイ５１に表示される簡易情報又は（及び）詳細情報の表示画面に転送手続ボタン７１が一時的又は定常的に表示される。図５（ａ）に示すように転送手続ボタン７１が表示されている時に操作部５２内のボタン７２を押すと転送手続ボタン７１が選択、決定されたこととなる。ユーザは、携帯電話５の操作部５２内のボタン７２を押して転送手続情報を要求する（ステップＳ２１）。
すると、広告配信システム１から携帯電話５に転送手続情報が送信され（ステップＳ２２）、図５（ｂ）に示すように転送先公衆電話機の電話番号入力画面７３が表示される。ユーザは公衆電話機６の外面に表示された電話番号を読み取り、操作部５２を操作してその電話番号を携帯電話５に入力する（ステップＳ２３）。このとき、図５（ｃ）示すように電話番号入力画面７３には入力した電話番号が表示される。
図５（ｃ）に示すように電話番号入力画面７３には、転送ボタン７４が表示されており、操作部５２内のボタン７２を押すと転送ボタン７１が選択、決定されたこととなる。ユーザは、携帯電話５の操作部５２内のボタン７２を押してコマーシャル情報の公衆電話機６への送信要求を広告配信システム１へ送信する（ステップＳ５−１）。
広告配信システム１においては、送受信部１１がその送信要求を受け、制御部１２に渡す。制御部１２はその送信要求に係るコマーシャル情報をＣＭＤＢ１３から取り出し、送受信部１１に渡す。送受信部１１はインターネット４を介してそのコマーシャル情報を電話番号によって特定される公衆電話機６に送信する（ステップＳ６−１）。
コマーシャル情報を受信した公衆電話機６は、大画面のディスプレイ６１にコマーシャル情報を表示する（ステップＳ７−１）。
以上のように、コマーシャル情報毎に公衆電話機への転送手続情報が設けられていることで、送信すべきコマーシャル情報が特定できる。また、公衆電話機６の電話番号を入力し送信することで、コマーシャル情報を送信すべき公衆電話機６が特定できる。
【００３８】
また、以下のようにしてコマーシャル情報と公衆電話機を特定し、コマーシャル情報の公衆電話機６への送信要求を行っても良い。
ここでは図３を参照する。図３は本発明の一実施の形態におけるフローチャートその２である。
【００３９】
広告配信システム１は、配信するコマーシャル情報毎に識別符号としてコード番号を設ける。携帯電話５のディスプレイ５１に表示される簡易情報又は（及び）詳細情報の表示画面にコード番号が一時的又は定常的に表示される（ステップＳ３１）。
ユーザは、携帯電話５のディスプレイ５１に表示された所望のコマーシャル情報のコード番号を、公衆電話機６を操作することにより公衆電話機６に入力し（ステップＳ３２）、さらに所定の操作をしてコマーシャル情報の公衆電話機６への送信要求を広告配信システム１へ送信する（ステップＳ５−２）。
広告配信システム１においては、送受信部１１がその送信要求を受け、制御部１２に渡す。制御部１２はコード番号により特定されるコマーシャル情報をＣＭＤＢ１３から取り出し、送受信部１１に渡す。送受信部１１はインターネット４を介してそのコマーシャル情報を送信要求の発信元である公衆電話機６に送信する（ステップＳ６−２）。
コマーシャル情報を受信した公衆電話機６は、大画面のディスプレイ６１にコマーシャル情報を表示する（ステップＳ７−２）。
以上のように、コマーシャル情報毎にコード番号が設けられていることで、送信すべきコマーシャル情報が特定できる。また、公衆電話機６からコマーシャル情報の送信を要求するので、コマーシャル情報を送信すべき公衆電話機が特定できる。
【００４０】
次に、ユーザが公衆電話機６を利用する場合の他の実施の形態につき説明する。
ここでは図４を参照する。図４は本発明の一実施の形態におけるフローチャートその３である。
【００４１】
ユーザは、携帯電話５に受信したコマーシャル情報をメモリ部５５に保存し、保持する（ステップＳ４１）。
【００４２】
ユーザは最寄りの公衆電話機６へ行く（ステップＳ４）。
【００４３】
ユーザは、公衆電話機６に設けられた通信ケーブル６４と、携帯電話５のコネクタ５４とを接続する（ステップＳ５−３）。
次に携帯電話機５のメモリ部５５に保持されたコマーシャル情報を携帯電話機５から通信ケーブル６４を介して公衆電話機６に移送（送信）する（ステップＳ６−３）。
コマーシャル情報を受信した公衆電話機６は、大画面のディスプレイ６１にコマーシャル情報を表示する（ステップＳ７−３）。
【００４４】
以下に、コマーシャル情報を印刷、保存する場合につき説明する。
ここでは図２、図３及び図４のうちいずれかのフローチャートを参照する。
【００４５】
ステップＳ７−１、ステップＳ７−２又はステップＳ７−３に続いて、次のにように印刷・保存を行う（ステップＳ８）。
ユーザは、プリンタ６２を利用して所望のコマーシャル情報を紙に印刷する。例えば、ディスプレイ６１をタッチパネルとして印刷ボタンを設けておき、その印刷ボタンをユーザに押させることにより印刷を実行する。
またユーザは記録装置６３を利用して所望のコマーシャル情報をＩＣカードに記録（保存）する。具体的にはユーザは記録装置６３のスロット部にＩＣカード挿入し、所定の操作をして保存する。その所定の操作として例えば、ディスプレイ６１をタッチパネルとして保存ボタンを設けておき、その保存ボタンをユーザに押させるようにする。保存後、ユーザはＩＣカードを取り出し持ち帰る。このＩＣカードはユーザ自身が持参したものでも良いが、公衆電話機６にＩＣカード供給装置を装備させるか、電話ボックス７内にＩＣカードの自動販売機を設置してＩＣカードをユーザに提供しても良い。
【００４６】
以上のように印刷手段（プリンタ６２）、ＩＣカードへの保存手段（記録装置６３）を設けたことにより、次のようなビジネスが可能となる。
コマーシャル情報に、クーポン券の発行特典を付けて配信する。ユーザはそのクーポン券を印刷し、クーポン券の対象となる小売店に赴き、印刷したクーポン券を使用して割り引きを受ける。
また、コマーシャル情報に、ポイントの発行特典を付けて配信する。ＩＣカードはグループ店の共通会員カードとする。すなわち、ポイントを記録することができる会員カードとする。もちろん磁気カードとしても可能である。ユーザは公衆電話機６においてそのポイントをその会員カードに書き込む。ユーザは、会員となっているグループ店の何れかの店舗に赴き、会員カードを提示してポイントの消化と引き替えに、ポイントに応じた値引きを受ける。
また、コマーシャル情報の詳細情報又はｗｅｂサイトａ１に音楽配信コンテンツを設ける。ユーザは、携帯電話５又は公衆電話機６で受信した音楽データを公衆電話６の記録装置６３で記録媒体に保存する。
公衆電話機は街中に点在するので利便性に富み、以上のようなビジネスによって大きな集客効果が得られる。
【図面の簡単な説明】
【００４７】
【図１】本発明の一実施の形態の概略構成図である。
【図２】本発明の一実施の形態におけるフローチャートその１である。
【図３】本発明の一実施の形態におけるフローチャートその２である。
【図４】本発明の一実施の形態におけるフローチャートその３である。
【図５】本発明の一実施の形態における携帯電話の画面フローチャートである。
【符号の説明】
【００４８】
１…広告配信システム、
１１…送受信部、
１２…制御部、
１３…コマーシャル情報データベース（ＣＭＤＢ）、
５…携帯電話、
６…公衆電話機、
６１…ディスプレイ、
６２…プリンタ、
６３…記録装置、
６４…通信ケーブル。
【図１】
2005333654.tif 000003
【図２】
2005333654.tif 000004
【図３】
2005333654.tif 000005
【図４】
2005333654.tif 000006
【図５】
2005333654.tif 000007
【手続補正書】
【提出日】平成17年5月23日(2005.5.23)
【手続補正１】
【補正対象書類名】特許請求の範囲
【補正対象項目名】全文
【補正方法】変更
【補正の内容】
【特許請求の範囲】
【請求項１】
表示データとしての識別符号が付属したコマーシャル情報を移動体電話機に配信し、前記識別符号を前記移動体電話機に表示させて前記識別符号を告知し、前記識別符号によって特定されるコマーシャル情報を公衆端末に送信することの要求を前記公衆端末から受け付けその要求を処理することを特徴とするコマーシャル情報配信方法。
【請求項２】
コマーシャル情報を移動体電話機に配信し、前記移動体電話機にコマーシャル情報を保持し、前記移動体電話機と公衆端末を通信手段によって接続し、前記移動体電話機に保持されたコマーシャル情報を前記移動体電話機から公衆端末に送信し、コマーシャル情報を受信した前記公衆端末においてコマーシャル情報を出力することを特徴とするコマーシャル情報配信方法。
【請求項３】
前記出力が前記公衆端末に備えられたディスプレイへの表示、印刷手段による印刷、又は記録装置による記録媒体への保存であることを特徴とする請求項２に記載のコマーシャル情報配信方法。
【請求項４】
広告配信システムと、移動体電話機と、公衆端末とを備えているコマーシャル情報配信システムであって、
前記広告配信システムは、表示データとしての識別符号が付属したコマーシャル情報を移動体電話機に配信し、前記識別符号を前記移動体電話機に表示させ、前記識別符号によって特定されるコマーシャル情報を公衆端末に送信することの要求を前記公衆端末から受け付けその要求を処理することを特徴とするコマーシャル情報配信システム。
【請求項５】
広告配信システムと、コマーシャル情報を保持するメモリ部を具備する移動体電話機と、前記移動体電話機と接続する通信手段を具備する公衆端末とを備えているコマーシャル情報配信システムであって、
コマーシャル情報を前記移動体電話機に配信し、前記移動体電話機にコマーシャル情報を保持し、前記移動体電話機と公衆端末を前記通信手段によって接続し、前記移動体電話機に保持されたコマーシャル情報を前記移動体電話機から公衆端末に送信し、コマーシャル情報を受信した前記公衆端末においてコマーシャル情報を出力することを特徴とするコマーシャル情報配信システム。
【請求項６】
前記公衆端末は、ディスプレイ、印刷手段、又は持ち運び可能な記録媒体へ情報を記録する記録装置を備え、前記出力が、前記ディスプレイへの表示、前記印刷手段による印刷、又は前記記録装置による記録媒体への保存であることを特徴とする請求項５に記載のコマーシャル情報配信システム
【請求項７】
表示データとしての識別符号が付属したコマーシャル情報を移動体電話機に配信し、前記識別符号を前記移動体電話機に表示させ、前記識別符号によって特定されるコマーシャル情報を公衆端末に送信することの要求を前記公衆端末から受け付け、その要求を処理することによって、特定のコマーシャル情報を特定の公衆端末に送信することを特徴とする広告配信システム。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本願発明に係るコマーシャル情報配信方法は、表示データとしての識別符号が付属したコマーシャル情報を移動体電話機に配信し、前記識別符号を前記移動体電話機に表示させて前記識別符号を告知し、前記識別符号によって特定されるコマーシャル情報を公衆端末に送信することの要求を前記公衆端末から受け付けその要求を処理することを特徴とする。
【手続補正８】
【補正対象書類名】明細書
【補正対象項目名】００１１
【補正方法】変更
【補正の内容】
【００１１】
本願発明に係るコマーシャル情報配信方法は、コマーシャル情報を移動体電話機に配信し、前記移動体電話機にコマーシャル情報を保持し、前記移動体電話機と公衆端末を通信手段によって接続し、前記移動体電話機に保持されたコマーシャル情報を前記移動体電話機から公衆端末に送信し、コマーシャル情報を受信した前記公衆端末においてコマーシャル情報を出力することを特徴とする。
【手続補正９】
【補正対象書類名】明細書
【補正対象項目名】００１２
【補正方法】変更
【補正の内容】
【００１２】
本願発明に係るコマーシャル情報配信方法は、前記出力が前記公衆端末に備えられたディスプレイへの表示、印刷手段による印刷、又は記録装置による記録媒体への保存であることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本願発明に係るコマーシャル情報配信システムは、広告配信システムと、移動体電話機と、公衆端末とを備えているコマーシャル情報配信システムであって、前記広告配信システムは、表示データとしての識別符号が付属したコマーシャル情報を移動体電話機に配信し、前記識別符号を前記移動体電話機に表示させ、前記識別符号によって特定されるコマーシャル情報を公衆端末に送信することの要求を前記公衆端末から受け付けその要求を処理することを特徴とする。
【手続補正１５】
【補正対象書類名】明細書
【補正対象項目名】００１８
【補正方法】変更
【補正の内容】
【００１８】
本願発明に係るコマーシャル情報配信システムは、広告配信システムと、コマーシャル情報を保持するメモリ部を具備する移動体電話機と、前記移動体電話機と接続する通信手段を具備する公衆端末とを備えているコマーシャル情報配信システムであって、コマーシャル情報を前記移動体電話機に配信し、前記移動体電話機にコマーシャル情報を保持し、前記移動体電話機と公衆端末を前記通信手段によって接続し、前記移動体電話機に保持されたコマーシャル情報を前記移動体電話機から公衆端末に送信し、コマーシャル情報を受信した前記公衆端末においてコマーシャル情報を出力することを特徴とする。
【手続補正１６】
【補正対象書類名】明細書
【補正対象項目名】００１９
【補正方法】変更
【補正の内容】
【００１９】
本願発明に係るコマーシャル情報配信システムは、前記公衆端末は、ディスプレイ、印刷手段、又は持ち運び可能な記録媒体へ情報を記録する記録装置を備え、前記出力が、前記ディスプレイへの表示、前記印刷手段による印刷、又は前記記録装置による記録媒体への保存であることを特徴とする。
【手続補正１７】
【補正対象書類名】明細書
【補正対象項目名】００２０
【補正方法】変更
【補正の内容】
【００２０】
本願発明に係る広告配信システムは、表示データとしての識別符号が付属したコマーシャル情報を移動体電話機に配信し、前記識別符号を前記移動体電話機に表示させ、前記識別符号によって特定されるコマーシャル情報を公衆端末に送信することの要求を前記公衆端末から受け付け、その要求を処理することによって、特定のコマーシャル情報を特定の公衆端末に送信することを特徴とする。
【手続補正１８】
【補正対象書類名】明細書
【補正対象項目名】００２１
【補正方法】削除
【補正の内容】
【手続補正１９】
【補正対象書類名】明細書
【補正対象項目名】００２２
【補正方法】削除
【補正の内容】
【手続補正２０】
【補正対象書類名】明細書
【補正対象項目名】００２８
【補正方法】変更
【補正の内容】
【００２８】
広告配信システム１には、送受信部１１と、制御部１２と、コマーシャル情報データベース１３とが備えられる。コマーシャル情報データベース１３（以下、ＣＭＤＢという。）には各社のコマーシャル情報が格納されている。送受信部１１はコマーシャル情報の送信及び携帯電話５や公衆電話機６からの要求の受信を行う。制御部１２は新規コマーシャル情報をＣＭＤＢ１３に登録したり、配信するコマーシャル情報をＣＭＤＢ１３から取り出したりする。
携帯電話５は、インターネット４へアクセス可能なものである。
【手続補正２１】
【補正対象書類名】明細書
【補正対象項目名】００２９
【補正方法】変更
【補正の内容】
【００２９】
コマーシャル情報は簡易情報と詳細情報とに分けられる。簡易情報は次のような内容とする。企業名や商品名を含む広告の要点を示す文字情報、例えば、「○○○が軽量、多機能化されて○月○日に新発売！（○○社）」や、「○○屋○○店開店セールのお知らせ」等とする。また、商品の外観やイメージキャラクター（歌手やタレント）等の画像情報（静止画及び動画を含む）を含めたものとする。さらにタイアップ曲等の１５秒程度の音声情報や、携帯電話５の内部音源を使用して音楽を演奏させるための１６小節程度の演奏情報（ＭＩＤＩ情報等）を含めたものとする。また、以上の文字情報、画像情報、音声情報、演奏情報を組み合わせて構成される。簡易情報の具体的内容は、短時間の露出で商品の特徴が把握できるようにする場合や、インパクトを優先し顧客を引き付けるようにする場合等、広告の手法は様々であるので、広告主と制作者の意図に従い多種多様なものが製作される。しかし、一定時間に多数の簡易情報を流すという要求から簡易情報には一定の制限を課して本実施形態のコマーシャル情報配信システムは運営される。
これに対し詳細情報は次のような内容とする。商品のスペック情報（性能、機能、特徴、色、サイズ等）、価格、発売日、取扱店等の商品に関する様々な情報や、サービス内容、料金、サービスの受けられる場所等のサービスに関する様々な情報、また、広告のイメージキャラクターとなっているタレントの芸歴、活動内容、活動予定の告知等の出演者に関する様々な情報、さらに、タイアップ曲の販売情報（発売日、価格、ランキング等）、プロデューサーからのメッセージ、歌手からのメッセージ、１コーラスの音声情報等の広告に使用される曲に関する様々な情報とされる。また、関連するＷＥＢサイトへのリンクを含める。詳細情報は文字情報、画像情報、音声情報、演奏情報のうちの何れか一つ又は二つ以上の組み合わせにより構成される。画像情報により商品やタレント、店舗等の画像、案内地図等が構成される。音声情報によりタイアップ曲、タレントの肉声メッセージ等が構成される。演奏情報によりタイアップ曲の着信メロディ等が構成される。
【手続補正２２】
【補正対象書類名】明細書
【補正対象項目名】００３４
【補正方法】変更
【補正の内容】
【００３４】
ここで、ユーザがコマーシャル情報に係る詳細情報を呼び出す操作をしたとする。その操作により、リンクされた詳細情報の送信要求が広告配信システム１に送信される（ステップＳ２）。
広告配信システム１においては、送受信部１１がその送信要求を受け、制御部１２に渡す。制御部１２はその送信要求に係るコマーシャル情報の詳細情報をＣＭＤＢ１３から取り出し、送受信部１１に渡す。送受信部１１はインターネット４を介してその詳細情報を携帯電話５に送信する（ステップＳ３）。これにより携帯電話５はその詳細情報を受信し、ディスプレイ５１に詳細情報に含まれる文字情報や画像情報を表示する。受信した詳細情報に音声情報が含まれる場合には、その音声情報を再生し音声モニタ５３から出力する。受信した詳細情報に演奏情報が含まれる場合には、その演奏情報を実行して携帯電話５の内部音源を鳴らし、その音声を音声モニタ５３から出力する。
ユーザは、詳細情報により商品、サービス、出演タレント、タイアップ曲等に関する様々な実用性、娯楽性溢れる情報を得、楽しむことができる。詳細情報に関連ＷＥＢサイトａ１、ａ２、ａ３…へのリンクが含まれる場合には、ユーザは関連するＷＥＢサイトａ１、ａ２、ａ３…に容易にアクセスすることができる。
【手続補正２３】
【補正対象書類名】明細書
【補正対象項目名】００３７
【補正方法】変更
【補正の内容】
【００３７】
広告配信システム１は、配信するコマーシャル情報毎に公衆電話機への転送手続情報を設ける。この転送手続情報は、コマーシャル情報を公衆電話機を特定して転送（広告配信システム１が、携帯電話５に送信していたコマーシャル情報を公衆電話機６へ送信すること）する手続を行うための手続情報である。図５（ａ）に示すように、携帯電話５のディスプレイ５１に表示される簡易情報又は（及び）詳細情報の表示画面に転送手続ボタン７１が一時的又は定常的に表示される。図５（ａ）に示すように転送手続ボタン７１が表示されている時に操作部５２内のボタン７２を押すと転送手続ボタン７１が選択、決定されたこととなる。ユーザは、携帯電話５の操作部５２内のボタン７２を押して転送手続情報を要求する（ステップＳ２１）。
すると、広告配信システム１から携帯電話５に転送手続情報が送信され（ステップＳ２２）、図５（ｂ）に示すように転送先公衆電話機の電話番号入力画面７３が表示される。ユーザは公衆電話機６の外面に表示された電話番号を読み取り、操作部５２を操作してその電話番号を携帯電話５に入力する（ステップＳ２３）。このとき、図５（ｃ）に示すように電話番号入力画面７３には入力した電話番号が表示される。
図５（ｃ）に示すように電話番号入力画面７３には、転送ボタン７４が表示されており、操作部５２内のボタン７２を押すと転送ボタン７１が選択、決定されたこととなる。ユーザは、携帯電話５の操作部５２内のボタン７２を押してコマーシャル情報の公衆電話機６への送信要求を広告配信システム１へ送信する（ステップＳ５−１）。
広告配信システム１においては、送受信部１１がその送信要求を受け、制御部１２に渡す。制御部１２はその送信要求に係るコマーシャル情報をＣＭＤＢ１３から取り出し、送受信部１１に渡す。送受信部１１はインターネット４を介してそのコマーシャル情報を電話番号によって特定される公衆電話機６に送信する（ステップＳ６−１）。
コマーシャル情報を受信した公衆電話機６は、大画面のディスプレイ６１にコマーシャル情報を表示する（ステップＳ７−１）。
以上のように、コマーシャル情報毎に公衆電話機への転送手続情報が設けられていることで、送信すべきコマーシャル情報が特定できる。また、公衆電話機６の電話番号を入力し送信することで、コマーシャル情報を送信すべき公衆電話機６が特定できる。
【手続補正２４】
【補正対象書類名】明細書
【補正対象項目名】００４５
【補正方法】変更
【補正の内容】
【００４５】
ステップＳ７−１、ステップＳ７−２又はステップＳ７−３に続いて、次のように印刷・保存を行う（ステップＳ８）。
ユーザは、プリンタ６２を利用して所望のコマーシャル情報を紙に印刷する。例えば、ディスプレイ６１をタッチパネルとして印刷ボタンを設けておき、その印刷ボタンをユーザに押させることにより印刷を実行する。
またユーザは記録装置６３を利用して所望のコマーシャル情報をＩＣカードに記録（保存）する。具体的にはユーザは記録装置６３のスロット部にＩＣカード挿入し、所定の操作をして保存する。その所定の操作として例えば、ディスプレイ６１をタッチパネルとして保存ボタンを設けておき、その保存ボタンをユーザに押させるようにする。保存後、ユーザはＩＣカードを取り出し持ち帰る。このＩＣカードはユーザ自身が持参したものでも良いが、公衆電話機６にＩＣカード供給装置を装備させるか、電話ボックス７内にＩＣカードの自動販売機を設置してＩＣカードをユーザに提供しても良い。